(57)【要約】【課題】操作の快適性を向上させることができるコンテンツ再生装置を提供すること。【解決手段】コンテンツ再生装置１００は、動画コンテンツを再生する再生部５１０と、動画コンテンツの再生に関する操作を入力し、操作に応じて動画コンテンツの再生を制御する制御部５２０とを有し、制御部５２０は、所定の操作が行われたことを条件として、その操作時刻を基準とする所定の範囲を決定する範囲決定部５２１と、決定された範囲の中から、ぼけておらず、かつ、人物の目および口が半開きとなっていない画像を、動画コンテンツの代表画像に決定する画像決定部５２２とを有する。【選択図】図１
2012004722.tif 000002
【特許請求の範囲】
【請求項１】
動画コンテンツを再生する再生部と、
前記動画コンテンツの再生に関する操作を入力し、前記操作に応じて前記動画コンテンツの再生を制御する制御部と、を有し、
前記制御部は、
所定の操作が行われたことを条件として、その操作時刻を基準とする所定の範囲を決定する範囲決定部と、
決定された前記範囲の中から、ぼけておらず、かつ、人物の目および口が半開きとなっていない画像を、前記動画コンテンツの代表画像に決定する画像決定部と、を有する、
コンテンツ再生装置。
【請求項２】
前記所定の操作は、前記動画コンテンツの再生に対する一時停止操作および停止操作の少なくとも１つを含む、
請求項１記載のコンテンツ再生装置。
【請求項３】
前記範囲決定部は、
前記操作時刻のシーンとは異なるシーンの画像を、前記代表画像に決定しない、
請求項１記載のコンテンツ再生装置。
【請求項４】
前記画像決定部は、
発話音声のある画像を、前記代表画像に決定しない、
請求項１記載のコンテンツ再生装置。
【請求項５】
前記画像決定部は、
前記代表画像の候補が複数存在するとき、前記操作時刻により近い時刻の画像を、前記代表画像に決定する、
請求項１記載のコンテンツ再生装置。
【請求項６】
前記所定の操作は、前記動画コンテンツの再生に対する一時停止操作を含み、前記操作は、前記動画コンテンツの一時停止に対する解除操作を含み、
前記制御部は、
前記一時停止操作が行われたとき、前記動画コンテンツの再生を一時停止すると共に前記代表画像を表示し、前記解除操作が行われたとき、前記代表画像の位置から前記動画コンテンツの再生を再開する、
請求項１記載のコンテンツ再生装置。
【請求項７】
前記範囲決定部は、
前記一時停止操作が行われたとき、前記操作時刻の直後の所定の範囲を、前記代表画像を決定する範囲として決定する、
請求項６記載のコンテンツ再生装置。
【請求項８】
前記操作は、前記動画コンテンツに対する静止画切出操作と、表示された１つまたは複数の画像の中から１つまたは複数を指定する指定操作とを含み、
前記制御部は、
前記静止画切出操作が行われたとき、前記代表画像を表示して前記指定操作を受け付け、指定された代表画像を記憶する、
請求項１記載のコンテンツ再生装置。
【請求項９】
前記所定の操作は、前記動画コンテンツの再生に対する停止操作を含み、前記操作は、表示された１つまたは複数の画像の中から１つを指定する指定操作を含み、
前記制御部は、
前記停止操作が行われたとき、前記動画コンテンツの再生を停止すると共に前記代表画像を蓄積して記憶し、記憶された代表画像を表示して前記指定操作を受け付け、指定された代表画像の位置から前記動画コンテンツを再生する、
請求項１記載のコンテンツ再生装置。
【請求項１０】
前記所定の操作は、前記動画コンテンツの再生に対する一時停止操作および停止操作の少なくとも１つを含み、
前記範囲決定部は、
前記操作時刻の直後の所定の範囲を、前記代表画像を決定する範囲として決定し、
前記制御部は、
前記一時停止操作または前記停止操作が行われたとき、前記動画コンテンツの再生を、前記代表画像まで継続してから、一時停止または停止する、
請求項１記載のコンテンツ再生装置。
【請求項１１】
動画コンテンツを再生するステップと、
前記動画コンテンツの再生に関する操作を入力するステップと、
所定の操作が行われたことを条件として、その操作時刻を基準とする所定の範囲を決定するステップと、
決定した前記範囲の中から、ぼけておらず、かつ、人物の目および口が半開きとなっていない画像を、前記動画コンテンツの代表画像に決定するステップと、を有する、
コンテンツ再生方法。
【請求項１２】
コンピュータに、
動画コンテンツを再生する処理と、
前記動画コンテンツの再生に関する操作を入力する処理と、
所定の操作が行われたことを条件として、その操作時刻を基準とする所定の範囲を決定する処理と、
決定した前記範囲の中から、ぼけておらず、かつ、人物の目および口が半開きとなっていない画像を、前記動画コンテンツの代表画像に決定する処理と、を実行させる、
コンテンツ再生プログラム。
【発明の詳細な説明】
【技術分野】
【０００１】
本発明は、動画コンテンツの再生を行うコンテンツ再生装置、コンテンツ再生方法、およびコンテンツ再生プログラムに関する。
【背景技術】
【０００２】
従来、動画コンテンツの再生を行うコンテンツ再生装置では、動画再生に対する一時停止または停止の操作が行われたときに、その操作時刻に再生されていた画像を、動画コンテンツの代表画像として表示することが行われている。これにより、ユーザは、再生が再開される箇所の動画コンテンツの内容を、再生に先立って確認することができる。
【０００３】
ところが、代表画像の画質が悪い場合、動画コンテンツの内容を確認することが困難となる。そこで、特許文献１に記載の装置は、一時停止操作が行われたときに、その操作時刻の画像に代えて、時間的に最も近い高解像度の画像を代表画像に決定する。これにより、ユーザは、動画コンテンツの内容をより確実に確認することができる。
【先行技術文献】
【特許文献】
【０００４】
【特許文献１】特開平１１−３３１７５４号公報
【特許文献２】特開平１１−１３６５５７号公報
【特許文献３】特開２００５−５６１７５号公報
【特許文献４】特開平８−３３１５０４号公報
【特許文献５】国際公開第１９９８／０４１９７８号
【発明の概要】
【発明が解決しようとする課題】
【０００５】
ところで、一時停止操作が行われた場合、代表画像は、再生再開の操作が行われるまでディスプレイ等に表示されたままの状態となる。また、停止操作が行われた場合、代表画像は、動画コンテンツまたは動画コンテンツ中の各位置を示すサムネイルとして、ディスプレイ等に繰り返し表示され続けることになる。すなわち、代表画像は、コンテンツ再生の操作に際して、第三者や操作者の目にさらされる機会が多い。したがって、代表画像は、第三者や操作者が見るのに相応しい内容の画像や、鑑賞に適する内容の画像であることが望ましい。
【０００６】
しかしながら、特許文献１記載の装置は、画質に配慮した代表画像決定を行うのみである。したがって、人物の目や口が半開きであったり、画面の一部、または全体がぼけている画像が代表画像に決定することがあり、第三者や操作者が見るのに相応しくない画像や、観賞に適さない内容の画像が表示され続けてしまうことがあるのは避けられない。これを避けるためには動画の内容を慎重に確認してタイミングを図りながら一時停止操作や停止操作を行わなければならない。しかし、この操作をユーザが確実に行うことは非常に困難である。
【０００７】
本発明の目的は、操作の快適性を向上させることができるコンテンツ再生装置、コンテンツ再生方法、およびコンテンツ再生プログラムを提供することである。
【課題を解決するための手段】
【０００８】
本発明のコンテンツ再生装置は、動画コンテンツを再生する再生部と、前記動画コンテンツの再生に関する操作を入力し、前記操作に応じて前記動画コンテンツの再生を制御する制御部とを有し、前記制御部は、所定の操作が行われたことを条件として、その操作時刻を基準とする所定の範囲を決定する範囲決定部と、決定された前記範囲の中から、ぼけておらず、かつ、人物の目および口が半開きとなっていない画像を、前記動画コンテンツの代表画像に決定する画像決定部と、を有する。
【０００９】
本発明のコンテンツ再生方法は、動画コンテンツを再生するステップと、前記動画コンテンツの再生に関する操作を入力するステップと、所定の操作が行われたことを条件として、その操作時刻を基準とする所定の範囲を決定するステップと、決定した前記範囲の中から、ぼけておらず、かつ、人物の目および口が半開きとなっていない画像を、前記動画コンテンツの代表画像に決定するステップとを有する。
【００１０】
本発明のコンテンツ再生プログラムは、コンピュータに、動画コンテンツを再生する処理と、前記動画コンテンツの再生に関する操作を入力する処理と、所定の操作が行われたことを条件として、その操作時刻を基準とする所定の範囲を決定する処理と、決定した前記範囲の中から、ぼけておらず、かつ、人物の目および口が半開きとなっていない画像を、前記動画コンテンツの代表画像に決定する処理とを実行させる。
【発明の効果】
【００１１】
本発明によれば、操作時刻を基準としつつ、ぼけておらず、かつ、人物の目および口が半開きとなっていない画像を代表画像に決定するので、操作のタイミングや第三者の目を気にする必要がなくなり、操作の快適性を向上させることができる。
【図面の簡単な説明】
【００１２】
【図１】本発明の実施の形態１に係るコンテンツ再生装置の構成を示すブロック図
【図２】本実施の形態１に係るコンテンツ再生装置の全体動作を示すフローチャート
【図３】本発明の実施の形態２に係るコンテンツ再生装置の全体動作を示すフローチャート
【図４】本実施の形態２における別シーンの除外の様子を示す模式図
【図５】本実施の形態２における音声付画像の除外の様子を示す模式図
【図６】本発明の実施の形態３に係るコンテンツ再生装置の全体動作を示すフローチャート
【図７】本実施の形態３における一時停止処理を示すフローチャート
【図８】本実施の形態３の一時停止処理における別シーンの除外の様子を示す模式図
【図９】本実施の形態３の一時停止処理における音声付画像の除外の様子を示す模式図
【図１０】本実施の形態３における停止処理を示すフローチャート
【図１１】本実施の形態３の停止処理における別シーンの除外の様子を示す模式図
【図１２】本実施の形態３の停止処理における音声付画像の除外の様子を示す模式図
【図１３】本実施の形態３における指定再生処理を示すフローチャート
【発明を実施するための形態】
【００１３】
以下、本発明の各実施の形態について、図面を参照して詳細に説明する。
【００１４】
（実施の形態１）
図１は、本発明の実施の形態１に係るコンテンツ再生装置の構成を示すブロック図である。コンテンツ再生装置１００は、例えば、動画コンテンツを録画再生するＤＶＤ（digital versatile disc）レコーダである。
【００１５】
コンテンツ再生装置１００の記憶部２００は、例えばハードディスクドライブの所定のメモリ領域であり、動画コンテンツを記憶する。
【００１６】
コンテンツ再生装置１００の入力部３００は、例えば複数のキースイッチを備えたリモートコントローラであり、コンテンツ再生装置１００に対する操作の入力を、ユーザから受け付ける。
【００１７】
コンテンツ再生装置１００の出力部４００は、例えば液晶ディスプレイ装置であり、画像および音声を出力する。
【００１８】
コンテンツ再生装置１００のコンテンツ再生部５００は、例えばプロセッサおよびＲＡＭ（random access memory）等の記憶媒体から成り、制御プログラムをプロセッサが実行することにより、動画コンテンツの再生を行う。
【００１９】
コンテンツ再生部５００の再生部５１０は、記憶部２００から動画コンテンツを読み出し、所定のデコード処理を行って動画コンテンツの映像および音声を再生し、再生した映像および音声を出力部４００において出力させる。
【００２０】
コンテンツ再生部５００の制御部５２０は、動画コンテンツの再生に関する操作を入力部３００から入力し、入力した操作に応じて、再生部５１０における動画コンテンツの再生を制御する。
【００２１】
制御部５２０の範囲決定部５２１は、所定の操作が行われたことを条件として、その操作時刻を基準とする所定の範囲を、動画コンテンツの代表画像を決定する範囲（以下「処理対象範囲」という）に決定する。
【００２２】
制御部５２０の画像決定部５２２は、範囲決定部５２１が決定した処理対象範囲の中から、ぼけておらず、かつ、人物の目および口が半開きとなっていない画像を、動画コンテンツの代表画像に決定する。
【００２３】
代表画像の決定のトリガとなる上述の所定の操作は、例えば、動画再生に対する一時停止操作および停止操作である。そして、代表画像は、例えば、一時停止中に表示される画像や、動画コンテンツまたは動画コンテンツ中の各位置を示すサムネイルとして表示される。
【００２４】
このようなコンテンツ再生装置１００は、操作時刻を基準とする処理対象範囲から、ぼけておらず、かつ、人物の目および口が半開きとなっていない画像を、代表画像に決定する。したがって、コンテンツ再生装置１００によれば、ユーザは操作のタイミングや第三者の目を気にする必要がないため、より快適に操作を行うことができる。
【００２５】
次に、コンテンツ再生装置１００の動作について説明する。
【００２６】
図２は、コンテンツ再生装置１００の全体動作を示すフローチャートである。
【００２７】
まず、ステップＳ１０００において、制御部５２０は、ユーザ操作等を受けて、再生部５１０において、動画コンテンツの読み出しおよび再生を開始させる。
【００２８】
そして、ステップＳ２０００において、制御部５２０は、所定の操作が行われたか否かを判断する。所定の操作は、例えば、動画再生に対する一時停止操作および停止操作である。制御部５２０は、所定の操作が行われていない場合には（Ｓ２０００：ＮＯ）、ステップＳ３０００へ進み、所定の操作が行われた場合には（Ｓ２０００：ＹＥＳ）、ステップＳ４０００へ進む。
【００２９】
ステップＳ３０００において、制御部５２０は、ユーザ操作等により処理の終了が指示されたか否かを判断し、処理の終了が指示されていない場合には（Ｓ３０００：ＮＯ）、ステップＳ２０００へ戻る。
【００３０】
ステップＳ４０００において、範囲決定部５２１は、所定の操作が行われた操作時刻を基準とする所定の範囲を、処理対象範囲として選択する。範囲決定部５２１は、例えば、操作時刻の直後である、操作時刻から操作時刻の１秒後までの範囲を、処理対象範囲として選択する。
【００３１】
そして、ステップＳ５０００において、画像決定部５２２は、範囲決定部５２１が決定した範囲の中から、ぼけていない画像、つまりピントが合っている画像を、代表画像の候補画像に設定する。具体的には、画像決定部５２２は、動画コンテンツからぼけている画像を検出し、検出した画像以外の画像を、候補画像に設定する。ぼけている画像の検出手法の詳細については、例えば特許文献２に記載されているため、ここでの説明を省略する。
【００３２】
そして、ステップＳ６０００において、画像決定部５２２は、人物の目および口が半開きとなっている画像を、候補画像から除外する。具体的には、画像決定部５２２は、動画コンテンツから人物の目および口が半開きとなっている画像を検出し、検出した画像を候補画像から除外する。動画コンテンツからの人物の目および口が半開きとなっている画像の検出手法の詳細については、例えば特許文献３に記載されているため、ここでの説明を省略する。
【００３３】
そして、ステップＳ７０００において、画像決定部５２２は、残っている候補画像の中から、代表画像を１つ決定する。なお、候補画像が存在しない場合には、画像決定部５２２は、操作時刻の画像を代表画像に決定するか、処理対象範囲を広げてステップＳ５０００〜Ｓ７０００の処理を再実行しても良い。
【００３４】
そして、ステップＳ８０００において、制御部５２０は、行われた所定の操作に対応する処理を行う。例えば、行われた所定の操作が一時停止操作である場合には、制御部５２０は、動画再生を決定した代表画像まで継続してから一時停止させ、代表画像が表示された状態にする。そして、更に一時停止解除の操作が行われたとき、制御部５２０は、例えば表示中の代表画像の位置から、動画再生を開始させる。
【００３５】
そして、制御部５２０は、処理の終了が指示された場合には（Ｓ３０００：ＹＥＳ）、一連の処理を終了する。
【００３６】
このような動作により、コンテンツ再生装置１００は、操作時刻を基準とする所定の範囲から、ぼけておらず、かつ、人物の目および口が半開きとなっていない画像を、代表画像に決定することができる。
【００３７】
以上説明したように、本実施の形態に係るコンテンツ再生装置１００は、一時停止等の所定の操作に際して、ぼけている画像、あるいは、人物の目および口が半開きとなっている画像が代表画像に決定されるのを防ぐことができる。すなわち、第三者に見せるのに相応しくないような内容の画像や、鑑賞に適さない内容の画像が表示され続けるのを防ぐことができる。したがって、コンテンツ再生装置１００は、ユーザに対し、第三者に気兼ねせずしかも快適に操作を行うことを可能にするので、操作の快適性を向上させることができる。
【００３８】
（実施の形態２）
本発明の実施の形態２は、操作時刻のシーンと同じシーンの中から、操作時刻にできるだけ近い時刻の画像を代表画像に決定するようにした例である。本実施の形態に係るコンテンツ再生装置１００は、実施の形態１のコンテンツ再生装置１００と同一の構成を有しているが、制御部５２０の動作が異なる。
【００３９】
図３は、本実施の形態に係るコンテンツ再生装置１００の全体動作を示すフローチャートであり、実施の形態１の図２に対応するものである。図２と同一部分には同一ステップ番号を付し、これについての説明を省略する。
【００４０】
範囲決定部５２１は、処理対象範囲を仮決定すると（Ｓ４０００）、ステップＳ４１００において、処理対象範囲から操作時刻のシーンとは異なるシーン（以下「別シーン」という）を除外した範囲を、処理対象範囲として本決定して、ステップＳ５０００へ進む。
【００４１】
具体的には、範囲決定部５２１は、動画コンテンツからシーンの切り替え位置を検出し、操作時刻の前の直近の切り替え位置以前の範囲と、操作時刻の後の直近の切り替え位置以降の範囲を、別シーンとして、処理対象範囲から除外する。シーンの切り替え位置とは、例えば、番組からＣＭ（commercial message）へと切り替わる位置や、ニュース番組においてスタジオの映像から中継先の映像へと切り替わる位置等、画像の内容が大きく変わる瞬間を指す。動画コンテンツからのシーンの切り替え位置の検出手法の詳細については、例えば特許文献４に記載されているため、ここでの説明を省略する。
【００４２】
図４は、別シーンの除外の様子を示す模式図である。
【００４３】
図４に示すように、所定の操作として一時停止操作が行われ、その操作時刻６１１の２秒前から操作時刻６１１の４秒後までの範囲が、仮の処理対象範囲６１２と決定されたとする。そして、この処理対象範囲６１２において、シーンＡ、シーンＢ、シーンＣがこの順序で続いており、操作時刻６１１はシーンＢに含まれていたとする。この場合、範囲決定部５２１は、別シーンであるシーンＡおよびシーンＣを除外して、シーンＢの範囲のみを、最終的な処理対象範囲６１３に決定する。
【００４４】
一時停止操作を行った瞬間と異なるシーンの画像が、代表画像として表示されたり、再生の起点となったりすると、再生が再開される箇所の動画コンテンツの内容を把握し辛い。したがって、コンテンツ再生装置１００は、このような別シーンの除外を行うことにより、操作の快適性を更に向上させることができる。
【００４５】
また、画像決定部５２２は、候補画像からぼけている画像等を除外すると（Ｓ５０００、Ｓ６０００）、ステップＳ７１００において、更に、候補画像から、発話音声のある画像（以下「音声付画像」という）を除外する。
【００４６】
具体的には、画像決定部５２２は、動画コンテンツの音声から発話音声が含まれている範囲を検出し、検出した範囲の画像を、候補画像から除外する。そして、画像決定部５２２は、操作時刻の前の直近の切り替え位置以前の範囲と、操作時刻の後の直近の切り替え位置以降の範囲を、処理対象範囲から除外する。動画コンテンツからの発話音声が付随している範囲の検出手法の詳細については、例えば特許文献５に記載されているため、ここでの説明を省略する。
【００４７】
図５は、音声付画像の除外の様子を示す模式図である。
【００４８】
図５に示すように、一時停止操作の操作時刻６２１を基準として、処理対象範囲６２２が決定されたとする。そして、この処理対象範囲６２２に、複数の候補画像６２３と、発話音声のある区間６２４とが存在しているものとする。この場合、画像決定部５２２は、音声付画像である候補画像２、４、６を除外して、音声付画像ではない候補画像１、３、５を候補画像として残す。
【００４９】
途中から再生された発話音声は、聞き取り辛い。コンテンツ再生装置１００は、このような音声付画像の除外を行うことにより、発話音声の再生を常に最初から行う事ができるので、ユーザが発話音声との関係で操作タイミングを気にする必要がなくなり、操作の快適性を更に向上させることができる。
【００５０】
なお、図５に示すように、処理対象範囲６２２に、操作時刻６２１が発話音声のある区間６２４に行われ、かつ、その発話音声の開始よりも前に候補画像（ここでは候補画像１、３）が存在する場合には、操作時刻６２１以降の候補画像（ここでは候補画像５）を更に除外しても良い。これにより、ユーザは、操作時刻６２１が行われたときの発話音声の内容を聞き取ることが可能となる。
【００５１】
そして、図３のステップＳ７２００において、画像決定部５２２は、候補画像のうち、操作時刻により近い画像を、代表画像に決定して、ステップＳ８０００へ進む。例えば、図５の例で説明したように、操作時刻以降の候補画像を除外している場合には、画像決定部５２２は、残っている候補画像のうち、最も遅い時刻の画像（図５の例では候補画像３）を、代表画像に決定する。これにより、コンテンツ再生装置１００は、発話音声の聞き取り易さを確保しつつ、再生再開時に重複して再生される区間を最小に抑えることができる。
【００５２】
このような処理により、コンテンツ再生装置１００は、画質的に良好なだけでなく、再生時に発話音声が聞き取り易く、操作時刻との時間的な密接度が高い画像を、代表画像に決定することができる。
【００５３】
このように、本実施の形態に係るコンテンツ再生装置１００によれば、処理対象範囲の中でシーンの切り替わりがあったときに、操作時刻のシーンとは異なるシーンの画像が代表画像として決定されるのを防ぐことができる。また、本実施の形態に係るコンテンツ再生装置１００によれば、音声付画像が代表画像として決定されるのを防ぐことができる。また、本実施の形態に係るコンテンツ再生装置１００によれば、操作時刻との時間的な密接な画像を、代表画像として決定することができる。
【００５４】
したがって、コンテンツ再生装置１００は、ユーザに対し、シーンの切り替わりの有無や発話音声の有無を気にせずに操作を行うことを可能にするので、操作の快適性を更に向上させることができる。
【００５５】
（実施の形態３）
本発明の実施の形態３として、具体的な各種操作に対応したコンテンツ再生装置１００について説明する。本実施の形態に係るコンテンツ再生装置１００は、実施の形態１のコンテンツ再生装置１００と同一の構成を有しているが、制御部５２０の動作が異なる。
【００５６】
本実施の形態では、コンテンツ再生装置１００が入力する操作として、コンテンツ再生に対する一時停止操作、一時停止解除操作、停止操作、指定再生操作、および指定操作を含む。指定再生操作とは、動画コンテンツまたは動画コンテンツ中の各位置を示すサムネイルを一覧表示させる操作である。指定操作とは、一覧表示されたサムネイルのいずれかを指定し、指定したサムネイルが示す動画コンテンツまたは動画コンテンツの位置以降の部分の再生を指示する操作である。
【００５７】
図６は、本実施の形態に係るコンテンツ再生装置１００の全体動作を示すフローチャートであり、実施の形態１の図２および実施の形態２の図３に対応するものである。図２および図３と同一部分には同一ステップ番号を付し、これについての説明を省略する。
【００５８】
制御部５２０は、動画コンテンツの再生開始後（Ｓ１０００）、まず、ステップＳ２１００において、一時停止操作が行われたか否かを判断する。制御部５２０は、一時停止操作が行われた場合には（Ｓ２１００：ＹＥＳ）、ステップＳ２２００へ進み、一時停止操作が行われていない場合には（Ｓ２１００：ＮＯ）、ステップＳ２３００へ進む。
【００５９】
ステップＳ２２００において、制御部５２０は、一時停止処理を実行して、ステップＳ３０００へ進む。一時停止処理については後述する。
【００６０】
ステップ２３００において、制御部５２０は、停止操作が行われたか否かを判断する。制御部５２０は、停止操作が行われた場合には（Ｓ２３００：ＹＥＳ）、ステップＳ２４００へ進み、停止処理を実行する。停止処理については後述する。また、制御部５２０は、停止操作が行われていない場合には（Ｓ２３００：ＮＯ）、そのままステップＳ３０００へ進む。
【００６１】
ステップＳ２５００において、制御部５２０は、指定再生操作が行われたか否かを判断する。制御部５２０は、指定再生操作が行われた場合には（Ｓ２５００：ＹＥＳ）、ステップＳ２６００へ進み、指定再生処理を実行して、ステップＳ３０００へ進む。指定再生処理については後述する。また、制御部５２０は、指定再生操作が行われていない場合には（Ｓ２５００：ＮＯ）、そのままステップＳ３０００へ進む。
【００６２】
このような動作により、コンテンツ再生装置１００は、行われた操作に応じて、一時停止処理、停止処理、および指定再生処理を、実行することができる。
【００６３】
図７は、一時停止処理を示すフローチャートである。
【００６４】
まず、ステップＳ２２１０において、範囲決定部５２１は、操作時刻を基準とする所定の範囲を、処理対象範囲として選択する。ここでは、例えば、一時停止操作が行われた瞬間から０.５秒後までの区間が、処理対象範囲に設定される。
【００６５】
そして、制御部５２０は、図３のステップＳ４１００〜Ｓ７２００の処理を実行し、ステップＳ８１１０において、決定された代表画像まで動画コンテンツの再生を継続した後、代表画像を表示した状態で一時停止する。
【００６６】
図８は、一時停止処理における別シーンの除外の様子を示す模式図である。
【００６７】
図８に示すように、一時停止操作の操作時刻７１１以降の０.５秒間が、仮の処理対象範囲７１２と決定されたとする。そして、この処理対象範囲７１２において、シーンＡ、シーンＢがこの順序で続いており、操作時刻７１１はシーンＡに含まれていたとする。この場合、範囲決定部５２１は、別シーンであるシーンＢを除外して、シーンＡのうち操作時刻７１１以降の範囲のみを、最終的な処理対象範囲７１３として決定する。
【００６８】
図９は、一時停止処理における音声付画像の除外の様子を示す模式図である。
【００６９】
図９に示すように、一時停止操作の操作時刻７２１を基準として、処理対象範囲７２２が決定されたとする。そして、この処理対象範囲７２２に、複数の候補画像７２３と、発話音声のある区間（有音区間）７２４とが存在しているものとする。この場合、画像決定部５２２は、音声付画像である候補画像１を除外して、音声付画像ではない候補画像２、３を候補画像として残す。候補画像２は、候補画像３よりも操作時刻７２１に近いため、代表画像に決定されることになる。
【００７０】
そして、図７のステップＳ８１２０において、制御部５２０は、静止画切出操作が行われたか否かを判断する。静止画切出操作は、動画コンテンツに対する静止画の切り出しを行うための操作であり、例えば、所定のメニュー項目の選択やオプションボタンの押下の操作である。制御部５２０は、静止画切出操作が行なわれていない場合には（Ｓ８１２０：ＮＯ）、ステップＳ８１３０へ進み、静止画切出操作が行われた場合には（Ｓ８１２０：ＹＥＳ）、ステップＳ８１４０へ進む。
【００７１】
そして、ステップＳ８１３０において、制御部５２０は、一時停止解除操作が行われたか否かを判断する。制御部５２０は、一時停止解除操作が行われていない場合は（Ｓ８１３０：ＮＯ）、ステップＳ８１２０へ戻り、一時停止解除操作が行われた場合には（Ｓ８１３０：ＹＥＳ）、ステップＳ８１５０へ進む。
【００７２】
ステップＳ８１５０において、制御部５２０は、動画コンテンツの再生を、代表画像の位置から開始する。
【００７３】
一方、ステップＳ８１４０において、範囲決定部５２１は、操作時刻を基準とする所定の範囲を、処理対象範囲として選択する。ここでは、例えば、一時停止操作が行われた瞬間（一時停止時刻）の前後１秒後までの区間が、処理対象範囲に設定される。
【００７４】
そして、制御部５２０は、図３のステップＳ４１００〜Ｓ６０００の処理を実行し、候補画像の絞り込みを行う。
【００７５】
そして、ステップＳ８１６０において、画像決定部５２２は、絞り込みが行われた１つまたは複数の候補画像を、代表画像として一覧表示する。
【００７６】
そして、ステップＳ８１７０において、画像決定部５２２は、一覧表示した１つまたは複数の代表画像に対する指定をユーザから受け付け、いずれかの代表画像に対する指定操作が行われると（Ｓ８１７０：ＹＥＳ）、ステップＳ８１８０へ進む。
【００７７】
ステップＳ８１８０において、制御部５２０は、指定された全ての代表画像を蓄積して記憶すると共に、動画コンテンツの再生を、例えば、ステップＳ８１１０において表示した代表画像から開始する。
【００７８】
このような一時停止処理を実行することにより、コンテンツ再生装置１００は、一時停止操作時に、操作時刻の近辺の鑑賞に適した画像を代表画像として表示してユーザの選択を受け付け、選択された代表画像を切り出して記憶することができる。すなわち、ユーザが鑑賞に適した画像を切り出して記録しようとする際に、画像を１フレームずつ確認しながら画像を探す手間を省くことができる。
【００７９】
図１０は、停止処理を示すフローチャートである。
【００８０】
まず、ステップＳ２４１０において、範囲決定部５２１は、操作時刻を基準とする所定の範囲を、処理対象範囲として選択する。ここでは、例えば、停止操作が行われた瞬間の前１秒の区間が、処理対象範囲に設定される。
【００８１】
そして、制御部５２０は、図３のステップＳ４１００〜Ｓ７２００の処理を実行し、ステップＳ８３１０において、決定された代表画像を記憶して、動画コンテンツの再生を停止する。
【００８２】
図１１は、停止処理における別シーンの除外の様子を示す模式図である。
【００８３】
図１１に示すように、停止操作の操作時刻７３１以前の１秒間が、仮の処理対象範囲７３２と決定されたとする。そして、この処理対象範囲７３２において、シーンＡ、シーンＢがこの順序で続いており、操作時刻７３１はシーンＢに含まれていたとする。この場合、範囲決定部５２１は、別シーンであるシーンＡを除外して、シーンＢのうち操作時刻７３１以前の範囲のみを、最終的な処理対象範囲７３３として決定する。
【００８４】
図１２は、停止処理における音声付画像の除外の様子を示す模式図である。
【００８５】
図１２に示すように、停止操作の操作時刻７４１を基準として、処理対象範囲７４２が決定されたとする。そして、この処理対象範囲７４２に、複数の候補画像７４３と、発話音声のある区間（有音区間）７４４とが存在しているものとする。この場合、画像決定部５２２は、音声付画像である候補画像３を除外して、音声付画像ではない候補画像１、２を候補画像として残す。候補画像２は、候補画像１よりも操作時刻７４１に近いため、代表画像に決定されることになる。
【００８６】
このような停止処理を実行することにより、コンテンツ再生装置１００は、停止操作時に、鑑賞に適した代表画像を記憶し、サムネイル等の用途に供することができる。
【００８７】
図１３は、指定再生処理を示すフローチャートである。
【００８８】
まず、ステップＳ２６１０において、制御部５２０は、蓄積して保存した代表画像を、コンテンツ一覧画面に一覧表示する。この代表画像は、例えば、過去の停止処理において記憶された代表画像である。
【００８９】
そして、ステップＳ２６２０において、制御部５２０は、一覧表示した代表画像に対する指定をユーザから受け付け、いずれかの代表画像に対する指定操作が行われると（Ｓ２６２０：ＹＥＳ）、ステップＳ２６３０へ進む。
【００９０】
ステップＳ２６３０において、制御部５２０は、動画コンテンツの再生を、代表画像の位置から開始する。
【００９１】
このような指定再生処理を実行することにより、コンテンツ再生装置１００は、鑑賞に適した代表画像を一覧表示して、代表画像から動画コンテンツの再生を再開することができる。すなわち、ユーザは、過去の停止位置の一覧のサムネイルとして、鑑賞に適した画像が表示されるので、前回どこまで視聴していたのかを容易に把握することができる。
【００９２】
このように、本実施の形態によれば、動画コンテンツの再生に関する各種操作に対応して、鑑賞に適した画像を、代表画像として用いることができる。
【産業上の利用可能性】
【００９３】
本発明に係るコンテンツ再生装置、コンテンツ再生方法、およびコンテンツ再生プログラムは、操作の快適性を向上させることができるコンテンツ再生装置、コンテンツ再生方法、およびコンテンツ再生プログラムとして有用である。
【符号の説明】
【００９４】
１００  コンテンツ再生装置
２００  記憶部
３００  入力部
４００  出力部
５００  コンテンツ再生部
５１０  再生部
５２０  制御部
５２１  範囲決定部
５２２  画像決定部
【図１】
2012004722.tif 000003
【図２】
2012004722.tif 000004
【図３】
2012004722.tif 000005
【図４】
2012004722.tif 000006
【図５】
2012004722.tif 000007
【図６】
2012004722.tif 000008
【図７】
2012004722.tif 000009
【図８】
2012004722.tif 000010
【図９】
2012004722.tif 000011
【図１０】
2012004722.tif 000012
【図１１】
2012004722.tif 000013
【図１２】
2012004722.tif 000014
【図１３】
2012004722.tif 000015